(57)【要約】【課題】本発明に係る直交変調器は、キャリアリーク成分を抑圧するために、送信する直交変調信号に含まれている動作周波数ｆｓｙｍ成分を正確に検出することを目的とする。【解決手段】本発明に係る直交変調器は、ベースバンドディジタル信号を直交変調信号として出力する直交変調器において、検波用の復調回路２１に入力する正弦波を、ベースバンドの搬送波と共通の局部発振器３１にて発生させた局部発振波から、搬送波の所定周波数ｆｃとベースバンドディジタル出力回路１２の動作周波数ｆｓｙｍとの和周波数を第二ＰＬＬ３３にて発生させることを特徴とする。【選択図】図１
2008135879.tif 000002
【特許請求の範囲】
【請求項１】
同一速度の２系統のベースバンドディジタル信号を出力するベースバンドディジタル出力回路と、
前記ベースバンドディジタル出力回路の出力する前記２系統のベースバンドディジタル信号を誤差調整する誤差調整回路と、
前記誤差調整回路からの前記誤差調整された２系統のベースバンドディジタル信号をアナログ信号に変換してアナログベースバンド信号として出力するＤ／Ａ変換回路と、
所定周波数の搬送波を前記Ｄ／Ａ変換回路からの前記アナログベースバンド信号で直交変調して直交変調信号として出力する直交変調回路と、
前記所定周波数と前記ベースバンドディジタル出力回路の動作周波数との和周波数を持つ正弦波と前記直交変調信号の一部とをミキシングし、前記ベースバンドディジタル出力回路と同じ動作周波数の中間周波数の成分を抽出して中間アナログ信号として出力する復調回路と、
前記復調回路からの前記中間アナログ信号をディジタル信号に変換して中間ディジタル信号として出力するＡ／Ｄ変換回路と、
前記Ａ／Ｄ変換回路からの前記中間ディジタル信号を直交検波して２系統の復調ディジタル信号として出力する直交検波回路と、
前記直交検波回路からの前記２系統の復調ディジタル信号に含まれる誤差を検出し、検出した前記誤差を基に前記誤差調整回路に誤差調整させる誤差検出回路と、
を備える直交変調器であって、
前記所定周波数と前記ベースバンドディジタル出力回路の動作周波数との前記和周波数が、前記所定周波数に同期していることを特徴とする直交変調器。
【請求項２】
前記直交検波回路と前記誤差検出回路との間に、前記直交検波回路からの前記２系統の復調ディジタル信号の位相をそれぞれ調整して前記誤差検出回路に出力する位相調整回路をさらに備えることを特徴とする請求項１に記載の直交変調器。
【請求項３】
前記誤差検出回路は、前記直交検波回路からの前記２系統の復調ディジタル信号のそれぞれの直流オフセット、前記２系統の復調ディジタル信号の直交誤差、又は前記２系統の復調ディジタル信号のレベルアンバランスのいずれかを検出し、
前記誤差調整回路は、前記誤差検出回路の検出に応じて前記直流オフセット、前記直交誤差、又は前記レベルアンバランスが最小になるように前記ベースバンドディジタル信号を調整することを特徴とする請求項１又は２記載の直交変調器。
【発明の詳細な説明】
【技術分野】
【０００１】
本発明は、直交する２系統のディジタル信号をアナログ信号に変換する直交変調器に係る。
【背景技術】
【０００２】
直交変調器の２系統のＩチャネルとＱチャネルのディジタル信号をアナログ信号に変換する際の直流オフセットにより生じるキャリアリークを抑圧する技術が公開されている（例えば、特許文献１−４参照。）。図３は、キャリアリークを抑圧する従来の直交変調器の一例を示す構成図である。図３に示す直交変調器は、送信装置の送信する周波数ｆｃの直交変調信号の一部を、ミキサー７３によって周波数（ｆｃ＋ｆｓｙｍ）で復調して直交変調信号に含まれる周波数ｆｓｙｍの中間周波数成分を取り込む。そして、Ａ／Ｄ変換器７６によりディジタル信号に変換して、ディジタル直交検波器８０によって周波数ｆｓｙｍ成分をディジタル直交検波８０にて検波する。ディジタル直交検波を行うことで、直流オフセット、ゲインのアンバランス、及び、直交誤差を、Ｉチャネル及びＱチャネルのそれぞれについて検出する。そして、ベースバンド信号を補正することでキャリアリークを抑圧する。
【０００３】
しかし、検波用のミキサー７３に入力する周波数（ｆｃ＋ｆｓｙｍ）を生成するＰＬＬ（Ｐｈａｓｅ  Ｌｏｃｋｅｄ  Ｌｏｏｐ）８５−２、が、周波数ｆｃを生成するＰＬＬ８５−１と独立して設けられていた。また、ＰＬＬ８５−１用の発振器６０−１と、ＰＬＬ８５−２用の発振器６０−２がそれぞれ独立して設けられていた。
【特許文献１】特開平９−３２１８１５号公報
【特許文献２】特開平１１−８８４５４号公報
【特許文献３】特開２００１−７８６９号公報
【特許文献４】特開平１１−２８４６７５号公報
【発明の開示】
【発明が解決しようとする課題】
【０００４】
図３に示すＰＬＬの構成では、キャリアリークを検波するためのＰＬＬ８５−２及び発振器６０−２が独立して設けられていたので、送信する直交変調信号に含まれている周波数ｆｃ及び動作周波ｆｓｙｍと、ミキサー７３に入力される周波数ｆｃ及び動作周波数ｆｓｙｍとが完全に一致していなかった。このため、送信用の直交変調信号に含まれている動作周波数ｆｓｙｍ成分が正確に検出できていなかった。
【０００５】
そこで、本発明に係る直交変調器は、送信用の直交変調信号のキャリアリークを抑圧するために、送信する直交変調信号に含まれている動作周波数ｆｓｙｍ成分を正確に検出することを目的とする。
【課題を解決するための手段】
【０００６】
上記目的を達成するために、本発明に係る直交変調器は、ベースバンドディジタル信号を直交変調信号として出力する直交変調器において、検波用のミキサーに入力する変調波を、送信用の直交変調信号と周波数同期して発生させることを特徴とする。
【０００７】
具体的には、本発明に係る直交変調器は、同一速度の２系統のベースバンドディジタル信号を出力するベースバンドディジタル出力回路と、前記ベースバンドディジタル出力回路の出力する前記２系統のベースバンドディジタル信号を誤差調整する誤差調整回路と、前記誤差調整回路からの前記誤差調整された２系統のベースバンドディジタル信号をアナログ信号に変換してアナログベースバンド信号として出力するＤ／Ａ変換回路と、所定周波数の搬送波を前記Ｄ／Ａ変換回路からの前記アナログベースバンド信号で直交変調して直交変調信号として出力する直交変調回路と、前記所定周波数と前記ベースバンドディジタル出力回路の動作周波数との和周波数を持つ正弦波と前記直交変調信号の一部とをミキシングし、前記ベースバンドディジタル出力回路と同じ動作周波数の中間周波数の成分を抽出して中間アナログ信号として出力する復調回路と、前記復調回路からの前記中間アナログ信号をディジタル信号に変換して中間ディジタル信号として出力するＡ／Ｄ変換回路と、前記Ａ／Ｄ変換回路からの前記中間ディジタル信号を直交検波して２系統の復調ディジタル信号として出力する直交検波回路と、前記直交検波回路からの前記２系統の復調ディジタル信号に含まれる誤差を検出し、検出した前記誤差を基に前記誤差調整回路に誤差調整させる誤差検出回路と、を備える直交変調器であって、前記所定周波数と前記ベースバンドディジタル出力回路の動作周波数との前記和周波数が、前記所定周波数に同期していることを特徴とすることを特徴とする。
【０００８】
復調回路に入力される前記正弦波が、前記所定周波数と前記ベースバンドディジタル出力回路の動作周波数との和周波数を持ち、直交変調信号に含まれる周波数ｆｃのキャリア成分と周波数が正確に同期している。ここで、「同期」とは、２つの周波数同士が整数比の関係になっていることをいう。直交変調信号から動作周波数ｆｓｙｍの中間周波数の成分を正確に復調することができるので、送信する直交変調信号に含まれている動作周波数ｆｓｙｍ成分を正確に検出することができる。
【０００９】
本発明に係る直交変調器では、さらに備える位相調整回路によって、直交検波回路の検波した２系統の復調ディジタル信号の位相差を調整することが好ましい。復調回路に入力される前記正弦波が、前記所定周波数と前記ベースバンドディジタル出力回路の動作周波数との和周波数を持つ。このため周波数を調整する必要がない。よって、位相調整回路がＩチャネルとＱチャネルの２系統の復調ディジタル信号の位相差を調整することで、誤差検出回路は、２系統のベースバンドディジタル信号間の誤差を正確に検出することができる。
【００１０】
本発明に係る直交変調器では、誤差検出回路が２系統の復調ディジタル信号のそれぞれの直流オフセットを検出し、誤差調整回路が２系統の復調ディジタル信号のそれぞれの直流オフセットが最小になるようにベースバンドディジタル信号を調整することが好ましい。直交検波回路がベースバンドディジタル信号のＩチャネル及びＱチャネルのそれぞれを正確に検出するので、誤差検出回路がベースバンドディジタル信号のＩチャネル及びＱチャネルの直流オフセットを正確に検出することができる。誤差調整回路は、正確な直流オフセットの検出結果に基づいて、ベースバンドディジタル信号のＩチャネル及びＱチャネルの直流オフセットを最小にすることができる。
【００１１】
また、本発明に係る直交変調器では、誤差検出回路が２系統の復調ディジタル信号の直交誤差を検出し、２系統の復調ディジタル信号の直交誤差が最小になるようにベースバンドディジタル信号を調整することが好ましい。直交検波回路がベースバンドディジタル信号のＩチャネル及びＱチャネルのそれぞれを正確に検出するので、誤差検出回路がベースバンドディジタル信号のＩチャネル及びＱチャネルの直交誤差を正確に検出することができる。誤差調整回路は、正確な直交誤差の検出結果に基づいて、ベースバンドディジタル信号のＩチャネル及びＱチャネルの直交誤差を最小にすることができる。
【００１２】
また、本発明に係る直交変調器では、誤差検出回路が２系統の復調ディジタル信号のレベルアンバランスを検出し、２系統の復調ディジタル信号のレベルアンバランスが最小になるようにベースバンドディジタル信号を調整することが好ましい。直交検波回路がベースバンドディジタル信号のＩチャネル及びＱチャネルのそれぞれを正確に検出するので、誤差検出回路がベースバンドディジタル信号のＩチャネル及びＱチャネルのレベルアンバランスを正確に検出することができる。誤差調整回路は、正確なレベルアンバランスの検出結果に基づいて、ベースバンドディジタル信号のＩチャネル及びＱチャネルのレベルアンバランスを最小にすることができる。
【発明の効果】
【００１３】
本発明によれば、送信する直交変調信号に含まれている動作周波数ｆｓｙｍの中間周波数の成分を正確に復調することができるので、動作周波数ｆｓｙｍ成分を正確に検出することができる。
【発明を実施するための最良の形態】
【００１４】
添付の図面を参照して本発明の実施の形態を説明する。以下に説明する実施の形態は本発明の構成の例であり、本発明は、以下の実施の形態に制限されるものではない。図１は、本実施形態に係る直交変調器の構成図である。本実施形態に係る直交変調器は、送信する情報をのせたベースバンドディジタル信号が入力される入力端子１１と、入力端子１１からのベースバンドディジタル信号を２系統にマッピングして同一速度の２系統のベースバンドディジタル信号を出力するベースバンドディジタル出力回路１２と、ベースバンドディジタル出力回路１２の出力する２系統のベースバンドディジタル信号を誤差調整する誤差調整回路１４と、誤差調整回路１４からの誤差調整された２系統のベースバンドディジタル信号をアナログ信号に変換してアナログベースバンド信号として出力するＤ／Ａ変換回路１５と、所定周波数ｆｃの局部発振波を発振する局部発振器３１と、局部発振器３１の出力する局部発振波を所定周波数ｆｃにして搬送波として出力する第一ＰＬＬ３２と、第一ＰＬＬ３２の出力する所定周波数ｆｃの搬送波をＤ／Ａ変換回路１５からのアナログベースバンド信号で直交変調して直交変調信号として出力する直交変調回路１６と、直交変調回路１６の出力する直交変調信号を出力する出力端子１７と、を備える。
【００１５】
さらに、本実施形態に係る直交変調器は、局部発振器３１の出力する局部発振波を所定周波数ｆｃとベースバンドディジタル出力回路１２の動作周波数ｆｓｙｍとの和周波数（ｆｃ＋ｆｓｙｍ）にして正弦波として出力する第二ＰＬＬ３３と、第二ＰＬＬ３３の出力する正弦波でありかつ所定周波数ｆｃとベースバンドディジタル出力回路の動作周波数ｆｓｙｍとの和周波数（ｆｃ＋ｆｓｙｍ）を持つ正弦波と直交変調回路１６の出力する直交変調信号の一部とをミキシングし、ベースバンドディジタル出力回路１２と同じ動作周波数ｆｓｙｍの中間周波数の成分を抽出して中間アナログ信号として出力する復調回路２１と、復調回路２１からの中間アナログ信号をディジタル信号に変換して中間ディジタル信号として出力するＡ／Ｄ変換回路２２と、Ａ／Ｄ変換回路２２からの中間ディジタル信号を直交検波して２系統の復調ディジタル信号として出力する直交検波回路２３と、直交検波回路２３からの２系統の復調ディジタル信号に含まれる誤差を検出し、検出した誤差を基に誤差調整回路１４に誤差調整させる誤差検出回路２５と、を備える。
【００１６】
本実施形態では、直交検波回路２３と誤差検出回路２５との間に、直交検波回路２３からの２系統の復調ディジタル信号の位相をそれぞれ調整して誤差検出回路２５に出力する位相調整回路２４をさらに備えることが好ましい。
【００１７】
図２は、本実施形態に係る直交変調器の具体例を示す構成図である。図２に示す直交変調器は、送信する情報をのせたベースバンドディジタル信号が入力される入力端子５０と、入力端子５０に入力されたベースバンドディジタル信号を、直交する２系統のＩチャネルとＱチャネルのベースバンドディジタル信号にマッピングするマッピング回路５１と、マッピング回路５１からの２系統それぞれのベースバンドディジタル信号をフィルタリングするロールオフフィルタ（ＲＯＦ）５２Ｉ、５２Ｑと、ＲＯＦ５２Ｉ、５２Ｑからの２系統それぞれのベースバンドディジタル信号をゲイン調整するゲイン調整回路５３Ｉ、５３Ｑと、ゲイン調整回路５３Ｉ、５３Ｑからの２系統それぞれのベースバンドディジタル信号の直交誤差を補正する直交誤差補正回路５４と、直交誤差補正回路５４からの２系統それぞれのベースバンドディジタル信号の直流オフセットを調整する直流オフセット５５Ｉ、５５Ｑと、直流オフセット５５Ｉ、５５Ｑからの２系統それぞれのベースバンドディジタル信号をアナログ信号に変換するＤ／Ａ変換回路５６Ｉ、５６Ｑと、Ｄ／Ａ変換回路５６Ｉ、５６Ｑからのそれぞれのベースバンドアナログ信号の高周波ノイズを除去するローパスフィルタ（ＬＰＦ）５７Ｉ、５７Ｑと、所定周波数ｆｃの局部発振器６０と、局部発振器６０の出力する局部発振波を所定周波数ｆｃにして搬送波として出力する第一ＰＬＬ８５−１と、第一ＰＬＬ８５−１からの搬送波を２系統に分岐し、２系統の搬送波が直交するように位相差を整える９０°位相差分波器５９と、９０°位相差分波器５９からの所定周波数ｆｃの搬送波を、ＬＰＦ５７Ｉ、５７Ｑからの２系統それぞれのベースバンドアナログ信号で直交変調するミキサー５８Ｉ、５８Ｑと、ミキサー５８Ｉ及びミキサー５８Ｑからの直交変調信号を合波する加算器６１と、加算器６１からの直交変調信号を増幅する増幅器６２と、増幅器６２の出力する直交変調信号を出力する出力端子６３と、を備える。
【００１８】
さらに、図２に示す直交変調器は、局部発振器６０の出力する局部発振波を所定周波数ｆｃとベースバンドディジタル出力回路１２の動作周波数ｆｓｙｍとの和周波数（ｆｃ＋ｆｓｙｍ）にして正弦波として出力する第二ＰＬＬ８５−２と、出力端子６３の出力する直交変調信号の一部を、第二ＰＬＬ８５−２の出力する正弦波で復調してマッピング回路５１と同じ動作周波数ｆｓｙｍの中間周波数成分を抽出して中間アナログ信号を出力するミキサー７３と、ミキサー７３の出力した中間アナログ信号をＬＰＦ７９からの出力値に応じて出力値が一定になるように負帰還増幅する低周波用増幅器７４と、低周波用増幅器７４の増幅した中間アナログ信号の高周波ノイズを除去するＬＰＦ７５と、ＬＰＦ７５からの中間アナログ信号を中間ディジタル信号に変換するＡ／Ｄ変換器７６と、Ａ／Ｄ変換器７６からの中間ディジタル信号の信号レベルを抽出する電力抽出器７７と、電力抽出器７７の抽出した信号レベルの信号をアナログ信号に変換するＤ／Ａ変換器７８と、Ｄ／Ａ変換器７８からのアナログ信号の高周波ノイズを除去するＬＰＦ７９と、Ａ／Ｄ変換器７６からの中間ディジタル信号からＩチャネルとＱチャネルの２系統の復調ディジタル信号を検波するディジタル直交検波器８０と、ディジタル直交検波器８０の検波する２系統それぞれの復調ディジタル信号を位相制御する位相制御器８１と、位相制御器８１からの２系統それぞれの復調ディジタル信号の直流オフセットを調整する直流オフセット８２Ｉ、８２Ｑと、位相制御器８１からの２系統の復調ディジタル信号の位相差を検出する直交位相検出器８３と、位相制御器８１からの２系統の復調ディジタル信号のレベルのアンバランスを検出するＩＱレベルアンバランス検出器８４と、を備える。
【００１９】
図２に示す構成は、図１に示す構成と対応している。例えば、入力端子５０は入力端子１１と、マッピング回路５１はベースバンドディジタル出力回路１２と、直交誤差補正回路５４は誤差調整回路１４と、Ｄ／Ａ変換回路５６Ｉ、５６Ｑは第一Ｄ／Ａ変換回路１５と、ミキサー５８Ｉ及びミキサー５８Ｑは直交変調回路１６と、出力端子６３は出力端子１７と、局部発振器６０は局部発振器３１と、第一ＰＬＬ８５−１は第一ＰＬＬ３２と、第二ＰＬＬ８５−２は第二ＰＬＬ３３と、ミキサー７３は復調回路２１と、Ａ／Ｄ変換器７６はＡ／Ｄ変換回路２２と、ディジタル直交検波器８０は直交検波回路２３と、ＩＱレベルアンバランス検出器８４は誤差検出回路２５と、対応している。
【００２０】
図１及び図２において、破線はディジタル信号処理を行う部分を示す。例えば、図１では、ベースバンドディジタル出力回路１２と、誤差調整回路１４と、直交検波回路２３と、位相調整回路２４と、誤差検出回路２５と、がディジタル信号処理を行う。図２では、マッピング回路５１と、ロールオフフィルタ（ＲＯＦ）５２Ｉ、５２Ｑと、ゲイン調整５３Ｉ、５３Ｑと、直交誤差補正回路５４と、直流オフセット５５Ｉ、５５Ｑと、電力抽出器７７と、ディジタル直交検波器８０と、位相制御器８１と、直流オフセット８２Ｉ、８２Ｑと、直交位相検出器８３と、ＩＱレベルアンバランス検出器８４と、はディジタル信号処理を行う。ディジタル信号処理を行う各回路は、共通のシステムクロックにて動作している。本実施形態では、システムクロックの周波数を動作周波数ｆｓｙｍとして説明する。
【００２１】
図１に記載する入力端子１１と、ベースバンドディジタル出力回路１２と、誤差調整回路１４と、第一Ｄ／Ａ変換回路１５と、直交変調回路１６と、出力端子１７と、局部発振器３１と、は図３に示す従来の構成と同様であるので説明は省略する。
【００２２】
第二ＰＬＬ３３は、局部発振器３１の出力する局部発振波を、所定周波数ｆｃとベースバンドディジタル出力回路１２の動作周波数ｆｓｙｍとの和周波数（ｆｃ＋ｆｓｙｍ）にして正弦波として出力する。局部発振波はアナログベースバンド信号の搬送波と共通の局部発振器３１によって発振されている。正弦波は、直交変調信号に含まれる周波数（ｆｃ）のキャリア成分と周波数が正確に同期している。
【００２３】
復調回路２１は、第二ＰＬＬ３３の出力する正弦波と直交変調回路１６の出力する直交変調信号の一部とをミキシングし、ベースバンドディジタル出力回路１２と同じ動作周波数ｆｓｙｍの中間周波数の成分を抽出して中間アナログ信号として出力する。直交変調信号の一部は、例えば方向性結合器によって分波する。正弦波は、直交変調信号に含まれる周波数ｆｃのキャリア成分と周波数が正確に同期している。このため、動作周波数ｆｓｙｍの成分を正確に復調することができる。周波数ｆｓｙｍの中間周波数成分を高精度で検波することで、キャリアリークを高精度で抽出することができる。よって、キャリアリークを高い精度で抑圧することができる。
【００２４】
誤差検出回路２５は、ＩチャネルとＱチャネルのそれぞれの位相を検出して、誤差調整回路１４から出力するＩチャネルとＱチャネルの位相を調整する。例えば、誤差検出回路２５は、Ｉチャネルの位相が遅れている場合にはＩチャネルの位相を早めるように誤差調整回路１４に誤差調整させる。また、Ｉチャネルの位相が早い場合にはＩチャネルの位相を遅らせるように誤差調整回路１４に誤差調整させる。
【００２５】
誤差検出回路２５は、直交検波回路２３からの２系統の復調ディジタル信号のそれぞれの直流オフセット、２系統の復調ディジタル信号の直交誤差、又は２系統の復調ディジタル信号のレベルアンバランスのいずれかを検出することが好ましい。この場合、誤差調整回路１４は、誤差検出回路２５の検出に応じて前記直流オフセット、前記直交誤差、又は前記レベルアンバランスが最小になるように前記ベースバンドディジタル信号を調整することが好ましい。当該直流オフセットを最小にすることで、キャリアリークを最小にすることができる。当該直交誤差を最小にすることで、直交変調時に生じるイメージリークを最小にすることができる。当該レベルアンバランスを最小にすることで、直交変調時に生じるイメージリークを最小にすることができる。
【００２６】
位相調整回路２４は、直交検波回路２３からのＩチャネルとＱチャネルの２系統の復調ディジタル信号の位相をそれぞれ調整する。２系統の復調ディジタル信号の周波数ｆｓｙｍは、搬送波と正弦波の局部発振波が共通であり、周波数同期している。そこで、ＩチャネルとＱチャネルの２系統の復調ディジタル信号の位相が９０°ずれるように調整することで、誤差検出回路２５は、２系統のベースバンドディジタル信号間の誤差を正確に検出することができる。
【産業上の利用可能性】
【００２７】
本発明は、ＢＰＳＫ（Ｂｉｎａｒｙ  Ｐｈａｓｅ  Ｓｈｉｆｔ  Ｋｅｙｉｎｇ）方式、ＱＰＳＫ（Ｑｕａｄｒａｔｕｒｅ  Ｐｈａｓｅ  Ｓｈｉｆｔ  Ｋｅｙｉｎｇ）方式及び多値ＱＡＭ（Ｑｕａｄｒａｔｕｒｅ  Ａｍｐｌｉｔｕｄｅ  Ｍｏｄｕｌａｔｉｏｎ）方式などの直交変調方式を用いた送信装置に利用することができる。
【図面の簡単な説明】
【００２８】
【図１】本実施形態に係る直交変調器の概略構成図である。
【図２】本実施形態に係る直交変調器の具体例を示す構成図である。
【図３】キャリアリークを抑圧する従来の直交変調器の一例を示す構成図である。
【符号の説明】
【００２９】
１１  入力端子
１２  ベースバンドディジタル出力回路
１４  誤差調整回路
１５  第一Ｄ／Ａ変換回路
１６  直交変調回路
１７  出力端子
２１  復調回路
２２  Ａ／Ｄ変換回路
２３  直交検波回路
２４  位相調整回路
２５  誤差検出回路
３１  局部発振器
３２  第一ＰＬＬ
３３  第二ＰＬＬ
５０  入力端子
５１マッピング回路
５２Ｉ、５２Ｑ  ロールオフフィルタ（ＲＯＦ）
５３Ｉ、５３Ｑ  ゲイン調整回路
５４  直交誤差補正回路
５５Ｉ、５５Ｑ、８２Ｉ、８２Ｑ  直流オフセット
５６Ｉ、５６Ｑ、７８  Ｄ／Ａ変換回路
５７Ｉ、５７Ｑ、７５、７９  ローパスフィルタ（ＬＰＦ）
５８Ｉ、５８Ｑ、７３  ミキサー
５９  ９０°位相差分波器
６０、６０−１、６０−２  局部発振器
６１  加算器
６２  増幅器
６３  出力端子
７４  低周波用増幅器
７６  Ａ／Ｄ変換器
７７  電力抽出器
８０  ディジタル直交検波器
８１  位相制御器
８３  直交位相検出器
８４  ＩＱレベルアンバランス検出器
８５−１  第一ＰＬＬ
８５−２  第二ＰＬＬ
【図１】
2008135879.tif 000003
【図２】
2008135879.tif 000004
【図３】
2008135879.tif 000005